(57)【要約】      （修正有）【課題】本体スナップボタン表面部に施したデザインプリントが洗濯や擦過によって、あるいは、長時間使用によって剥がれ落ちるおそれがなく、また、そのデザインを外から余すことなく見ることができ、更に、気分や好みによってデザインを変更することが可能なスナップボタンを提供する。【解決手段】ソケットと、布地を挟んでソケットに結合される芯４を備えた本体１とから成り、本体１は透明又は半透明のキャップカバー５を備え、本体１の表面部２及び／又はキャップカバー５の内天面６に、絵柄、模様又は文字を含むデザインがプリントされ、そのプリントされたデザインがキャップカバー５を通して透視可能にされることにより、洗濯で濡れた際や表面を擦った際にも、プリントされたデザインが剥がれることなく長期間使用することが可能となる。【選択図】図１
0003193578.tif 000002
【実用新案登録請求の範囲】
【請求項１】
ソケットと、布地を挟んで前記ソケットに結合される芯を備えた本体とから成り、前記本体は透明又は半透明のキャップカバーを備え、前記本体の表面部及び／又は前記キャップカバーの内天面に、絵柄、模様又は文字を含むデザインがプリントされ、そのプリントされたデザインが前記キャップカバーを通して透視可能であることを特徴とするスナップボタン。
【請求項２】
前記本体の表面部にプリントされたデザインと前記キャップカバーの内天面にプリントされたデザインが合わさって１つのデザインを表出する、請求項１に記載のスナップボタン。
【請求項３】
前記キャップカバーは取り外し交換可能にされる、請求項１又は２に記載のスナップボタン。
【考案の詳細な説明】
【技術分野】
【０００１】
本考案は、スナップボタンに関するものであり、より詳細には、衣服などのボタンとして使用する、本体とソケットの２部品で構成される留め具であるスナップボタンであって、装飾性に富んだスナップボタンに関するものである。
【背景技術】
【０００２】
従来、スナップボタンとして、本体表面部に装飾用のデザインがプリントされたものがあるが、その場合、衣服の洗濯により、あるいは、ボタン表面が触られたり擦られたりすることにより、本体表面部にプリントされたデザインが剥がれてしまうおそれがある。
【０００３】
例えば、装飾を加えたスナップボタンとして、特開２０１０−４２１７８号公報に記載のものが提案されているが、そのスナップボタンの場合も外面に装飾が露呈するため、上記同様の問題が生じる。また、このスナップボタンの場合、本体外面のデザインは周縁部が隠れているため、見えにくくなるという問題もある。
【先行技術文献】
【特許文献】
【０００４】
【特許文献１】特開２０１０−４２１７８号公報
【考案の概要】
【考案が解決しようとする課題】
【０００５】
上記従来提案されているスナップボタンの場合は、本体外表面に施されたデザインが、洗濯や擦過によって剥がれやすいという問題があり、また、デザインの周縁部が見えにくいという問題があった。
【０００６】
そこで本考案は、本体スナップボタン表面部に施したデザインプリントが洗濯や擦過によって、あるいは、長時間使用によって剥がれ落ちるおそれがなく、また、そのデザインを外から余すことなく見ることができ、更に、気分や好みによってデザインを変更することが可能なスナップボタンを提供することを課題とする。
【課題を解決するための手段】
【０００７】
上記課題を解決するための請求項１に記載の考案は、ソケットと、布地を挟んで前記ソケットに結合される芯を備えた本体とから成り、前記本体は透明又は半透明のキャップカバーを備え、前記本体表面部及び／又は前記キャップカバーの内面に、絵柄、模様又は文字を含むデザインがプリントされ、そのプリントされたデザインが前記キャップカバーを通して透視可能であることを特徴とするスナップボタンである。
【０００８】
一実施形態においては、前記本体表面部にプリントされたデザインと前記キャップカバーの内面にプリントされたデザインが合わさって１つのデザインが表出可能にされる。また、前記キャップカバーは取り外し交換が可能にされる。
【考案の効果】
【０００９】
本考案に係るスナップボタンは、従来のスナップボタン同様に絵柄等のデザインを施すが、本考案の場合のデザインは透明なキャップカバーの内側に表現されるため、洗濯したり擦ったりしてもデザインが損なわれることなく長期間使用することができ、更に、キャップカバーの付け替えを可能にすることにより、各々の好みや気分、衣服の色によって好みのデザインのものに付け替えができるので、多数のスナップボタンを購入することなく、多くのデザインを楽しめる効果がある。
【００１０】
また、請求項２に記載の考案の場合は、スナップボタンの表面部とキャップカバーの内天面の双方にデザインがプリントされた状態でキャップカバーを装着すると、双方のデザインが重なることで、新たなデザインを表出することが可能となる効果がある。
【図面の簡単な説明】
【００１１】
【図１】本考案に係るスナップボタンの一実施形態の本体とキャップカバーの分離状態の断面図である。
【図２】本考案に係るスナップボタンの一実施形態の本体とキャップカバーの結合状態の断面図である。
【考案を実施するための形態】
【００１２】
本考案を実施するための形態につき、添付図面を参照しつつ説明する。図１は、本発明に係るスナップボタンの一実施形態の本体１とキャップカバー５の分離状態の断面図であり、図２はその結合状態の断面図である。なお、図２においては、見にくくなるのを避けるため、本体１とキャップカバー５との間に隙間を表現してあるが、実際にはこのような隙間のない密着状態に結合する。
【００１３】
キャップカバー５は透明又は半透明の透視可能な樹脂素材製で、本体１に対して押し込み結合可能にされる。通例、本体１とキャップカバー５は不可分一体に結合されるが、キャップカバー５を一旦本体１に結合した後、取り外し可能にし、他のデザインのキャップカバー５と付け替え可能にすることもできる。本体１の周縁部には、結合時においてキャップカバー５の周底面を受けるフランジ３が形成され、キャップカバー５の本体１からの取り外しは、このフランジ３とキャップカバー５の周底面との間に爪等を差し込むことにより行うことができる。
【００１４】
本体１の表面部２及び／又はキャップカバー５の内天面６に、絵柄、模様又は文字を含むデザインがプリントされ、そのプリントされたデザインがキャップカバー５を通して透視可能にされる。
【００１５】
本体１の表面部２とキャップカバー５の内天面６の双方にデザインがプリントされる場合は、その双方のデザインが組み合わさって、新たなデザインが創出されることになる。従って、キャップカバー５を本体１に対して取り外し交換可能にした場合は、所望のデザインの組み合わせを選択することが可能となり、各々の好みや気分、衣服の色によって好みのデザインのものに付け替えができるので、多種多様のスナップボタンを購入することなく、多くのデザインを楽しめることになる。
【００１６】
なお、キャップカバー５を結合した状態の本体１は、従来のスナップボタンと同様に、布地を挟んでその芯４を図示せぬソケット内に圧潰して連結固定する。
【符号の説明】
【００１７】
１    本体
２    表面部
３    フランジ
４    芯
５    キャップカバー
６    内天面
【図１】
0003193578.tif 000003
【図２】
0003193578.tif 000004